(57)【要約】【課題】複数のセグメント表示部が連なった表示ユニットが変形しながら連続表示を可能とし遊技者の興趣を持続的に高めることができる演出表示装置を提供する。【解決手段】  複数のセグメント表示部Ｈ１〜Ｈ７の両端が互いに回動可能に連結され複数の環状部ＨＡ，ＨＢを有する表示ユニットＵを、駆動部を駆動して表示ユニットＵを複数の環状部ＨＡ，ＨＢが高さ方向又は幅方向に最大限変形した表示状態と、表示状態から複数の環状部ＨＡ，ＨＢを高さ方向及び幅方向の少なくとも一方向に変形させて可変表示する可変表示状態とで表示ユニットＵを変形表示させる。【選択図】図１０
2018202078.tif 000002
【特許請求の範囲】
【請求項１】
所定の始動条件に応じて演出表示する演出表示装置であって、
複数のセグメント表示部の両端が互いに回動可能に連結され複数の環状部を有する表示ユニットと、
前記表示ユニットに駆動伝達して前記複数の環状部を高さ方向及び幅方向に変形させる駆動部と、を備え、
前記駆動部より駆動伝達して前記表示ユニットを前記複数の環状部が高さ方向又は幅方向に最大限変形した表示状態と、前記表示状態から前記複数の環状部を高さ方向及び幅方向の少なくとも一方向に変形させて可変表示する可変表示状態とで前記表示ユニットを変形表示させることを特徴とする演出表示装置。
【請求項２】
前記表示ユニットは、第一環状部及び第二環状部の一部を形成するスライド可能な複数の分割表示部を備え、該分割表示部は前後に重なり表示する状態と、直列状にシフトして表示する状態とで変位する請求項１記載の演出表示装置。
【請求項３】
前記表示ユニットを隠蔽する装飾部を備え、
前記装飾部は、前記表示ユニットの前面側を覆う第一装飾部と、当該表示ユニットと共に高さ方向に変位可能な第二装飾部と、を備えている請求項１又は請求項２記載の演出表示装置。
【請求項４】
前記第一装飾部の後面側に配置され、前記表示ユニットの前面側に重ねて発光表示させることが可能な可動発光装飾部を備えている請求項３記載の演出表示装置。
【請求項５】
前記駆動部は、第一駆動源と、該第一駆動源の駆動を前記表示ユニットに伝達して複数の環状部を高さ方向及び幅方向に変化させて表示態様を切り替える第一駆動機構と、
第二駆動源と、該第二駆動源の駆動を可動発光装飾部に伝達して前記表示ユニットの前面側に重ねて発光表示させる第二駆動機構と、を備えている請求項４記載の演出表示装置。
【請求項６】
前記第二駆動源より前記第二駆動機構を通じて第二装飾部へ駆動伝達して当該第二装飾部のみを前記第一装飾部より高さ方向に変位させる請求項５記載の演出表示装置。
【請求項７】
請求項１乃至請求項６のいずれかに記載の演出表示装置を備え、所定の始動条件に応じて前記演出表示装置が演出表示する遊技機。
【発明の詳細な説明】
【技術分野】
【０００１】
本発明は、演出表示装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤には、図柄表示装置や風車、チャッカー、賞球が払い出される普通入賞口や図柄表示装置で抽選が開始される始動入賞口、大当たりが発生した場合に開口するアタッカー（大入賞口）などの役物が設けられている。
【０００３】
始動入賞口に遊技球が入賞すると、図柄表示装置が変動して抽選を行い、判定結果を表示部に表示するようになっている。このとき、液晶表示部の図柄変化やドラム回転式の表示部による抽選が行われていたが、マンネリ化により飽きられてしまい遊技者の興趣を高めることができない。
【０００４】
そこで、液晶表示部のほかに演出表示部を設けて動作の意外性により興趣向上を意図した様々な遊技機が提案されている。
例えば、部分表示部Ｈ１〜Ｈ４を備えた第一可動表示部と部分表示部Ｈ５〜Ｈ７を備えた第二可動表示部により図柄（８の字）を表示する第一の表示形態と、第一可動表示部と第二可動表示部が別々に分離して変形した第二の表示形態とで切り替え表示するようになっている（特許文献１：特開２０１５−２９６５１号公報参照）。
また、可変表示装置において７個の表示体を連なるように配置して８の字を表示した状態から両側の表示体４個を外向きに９０度回転するように構成され、横方向に３列に並んだ状態に変形させて、漢字で一、二、三を点灯表示できるようにした遊技機も提案されている（特許文献２：特開２００８−２３０１９号公報参照）。
【先行技術文献】
【特許文献】
【０００５】
【特許文献１】特開２０１５−２９６５１号公報
【特許文献２】特開２００８−２３０１９号公報
【発明の概要】
【発明が解決しようとする課題】
【０００６】
上述した特許文献１の演出表示部は、所謂７セグ表示で８の字を表示した第一の表示状態から可動表示部を分割して上下に移動させて背面の液晶表示部を表示させた第二の表示形態では、第二の表示状態の表示態様が演出表示として生かされていない。
特許文献２の可変表示部は、８の字を表示した７セグ表示体の一部を移動させて上段，中段、下段の横三列に変形させた状態では表示部として機能はしておらず、部分的に点灯表示させて表示態様を変更しているに過ぎない。
即ち、特許文献１，２に示す表示部においては、変形前の第一の表示形態と変形後の第二の表示形態とで表示態様の連続性がなく、装飾的な変化を連続して楽しむことができず遊技者の興趣を持続的に高めるまでに至っていない。
【課題を解決するための手段】
【０００７】
本発明の課題は、上記実情に鑑みてなされたものであり、複数のセグメント表示部が連なった表示ユニットが変形しながら連続表示を可能とし遊技者の興趣を持続的に高めることができる演出表示装置を提供しそれを備えて斬新な演出が行える遊技機を提供することにある。
【０００８】
本発明は上記目的を達成するため、次の構成を備えることを特徴とする。
所定の始動条件に応じて演出表示する演出表示装置であって、複数のセグメント表示部の両端が互いに回動可能に連結され複数の環状部を有する表示ユニットと、前記表示ユニットに駆動伝達して前記複数の環状部を高さ方向及び幅方向に変形させる駆動部と、を備え、前記駆動部より駆動伝達して前記表示ユニットを前記複数の環状部が高さ方向又は幅方向に最大限変形した表示状態と、前記表示状態から前記複数の環状部を高さ方向及び幅方向の少なくとも一方向に変形させて可変表示する可変表示状態とで前記表示ユニットを変形表示させることを特徴とする。
これにより、例えば遊技球の入賞等の所定の始動条件に応じて駆動部を駆動して表示ユニットを複数の環状部が高さ方向又は幅方向に最大限変形した表示状態と、表示状態から複数の環状部を高さ方向及び幅方向の少なくとも一方向に変形させて可変表示する可変表示状態とで表示ユニットを変形表示させることができる。よって、遊技者は、複数の環状部を有する表示ユニットが高さ方向又は幅方向に最大限変形する表示態様の意外性と、複数の環状部を高さ方向及び幅方向の少なくとも一方向に変形させて可変表示する可変表示状態の表示態様の連続変化により大当たりへの期待感を増大させて遊技者の興趣を持続的に高めることができる。
【０００９】
前記表示ユニットは、第一環状部及び第二環状部の一部を形成するスライド可能な複数の分割表示部を備え、該分割表示部は前後に重なり表示する状態と、直列状にシフトして表示する状態とで変位するようにしてもよい。
これにより、複数のセグメント表示部（例えば７セグ表示部）のうち第一環状部及び第二環状部が変位する際に分割表示部は前後に重なり表示したり、直列状にシフトして表示したりする。よって、７セグ表示部の表示態様を維持したまま第一環状部及び第二環状部が高さ方向及び幅方向に連続変化（変形）させて可変表示することができる。
【００１０】
前記表示ユニットを隠蔽する装飾部を備え、前記装飾部は、前記表示ユニットの前面側を覆う第一装飾部と、当該表示ユニットと共に高さ方向に変位可能な第二装飾部と、を備えていることが好ましい。これにより、表示ユニットが例えば装飾部の後面に隠れた待機状態から第二装飾部と共に高さ方向に移動して出現することによる装飾変化の意外性と表示ユニットの連続する形態変化を楽しむことができる。
【００１１】
前記第一装飾部の後面側に配置され、前記表示ユニットの前面側に重ねて発光表示させることが可能な可動発光装飾部を備えていることが好ましい。
これにより、所定の始動条件（例えば遊技球の入賞等）により第一装飾部の後面から表示ユニットの出現と複数の環状部による高さ方向及び幅方向への連続変形のみならず、可動発光装飾部が表示ユニットの前面に光照射しながら重ねて出現することで、装飾性が高まるため、遊技者の大当たりへの期待感を増大させて、遊技者の興趣を持続的に高めることができる。
【００１２】
前記駆動部は、第一駆動源と、該第一駆動源の駆動を前記表示ユニットに伝達して環状部を高さ方向及び幅方向に変化させて表示態様を切り替える第一駆動機構と、第二駆動源と、該第二駆動源の駆動を可動発光装飾部に伝達して前記表示ユニットの前面側に重ねて発光表示させ、各セグメント表示部を発光表示させる第二駆動機構と、を備えていることが望ましい。
これにより、第一駆動源の駆動制御により表示ユニットの表示態様を切り替えるとともに、第二駆動源の駆動制御により、可動発光装飾部を装飾体から出現させて可変表示状態にある表示ユニットの前方に重ねて出現させて光照射して各セグメント表示部を発光表示させることで、装飾性が高まり大当たりへの期待感を高揚させることができる。
また、表示ユニットの変形動作と可動発光装飾部の出現動作を異なる駆動源により個別に駆動制御することで、より複雑で意外性のある演出をすることができる。
【００１３】
前記第二駆動源より前記第二駆動機構を通じて第二装飾部へ駆動伝達して当該第二装飾部のみを前記第一装飾部より高さ方向に変位させるようにしてもよい。これにより、表示ユニットの始動条件の有無にかかわらず、装飾部の形態が遊技中に随時変化するので、遊技者を飽きさせずに持続的な演出を行うことができる。
【００１４】
遊技機においては、上述したいずれかに記載の演出表示装置を備えることで、所定の始動条件（たとえば遊技球の入賞）に応じて演出表示装置が演出表示することで、遊技者を飽きさせることなく、斬新な演出を行うことができる。
【発明の効果】
【００１５】
上述した演出表示装置及び遊技機を用いれば、複数に分割された表示ユニットが変形しながらも連続表示を可能とし遊技者の興趣を高めた演出表示装置を提供し及びそれを備えて斬新な演出が行える遊技機を提供することができる。
【図面の簡単な説明】
【００１６】
【図１】パチンコ機の正面図である。
【図２】表示ユニットの前面側分解斜視図である。
【図３】表示ユニットの後面側分解斜視図である。
【図４】分割表示部の前面側分解斜視図である。
【図５】分割表示部の後面側分解斜視図である。
【図６】第一駆動機構及び表示部の表示状態及び待機状態を示す前面側説明図である。
【図７】第一駆動機構及び表示部の表示状態及び待機状態を示す後面側説明図である。
【図８】表示ユニットの待機状態と表示状態に至るまでの可変表示状態の前面側斜図及び後面側斜視図である。
【図９】第一駆動機構を示す後面側分解斜視図である。
【図１０】表示ユニットの待機状態から表示状態までの連続変化を示す前面側状態説明図である。
【図１１】表示ユニットの待機状態から表示状態までの連続変化を示す後面側状態説明図である。
【図１２】可動発光装飾部及び装飾部の変化状態を示す正面図及び斜視図である。
【図１３】可動発光装飾部及び第二駆動機構の変化前後の前面側状態説明図である。
【図１４】可動発光装飾部の変化前後の後面側状態説明図である。
【図１５】蓋を開閉する第二駆動機構の開閉動作を示す後面図及び側面図である。
【図１６】蓋を開閉するための第二駆動機構の前面側分解斜視図である。
【図１７】蓋を開閉するための第二駆動機構の後面側分解斜視図である。
【発明を実施するための形態】
【００１７】
以下、本発明の実施形態について図面を参照しながら具体的に説明する。
図１を参照して本実施形態に係る演出表示装置及び遊技機の概略構成について説明する。本実施例としては、遊技機の一例としてパチンコ機について説明するものとする。
【００１８】
先ずパチンコ機１の概略構成について説明すると、図１においてパチンコ機１の外形をなす矩形状の外枠２の側部に対して内枠ヒンジ４ａ，４ｂにより内枠（図示せず）が開閉可能に取り付けられ、該内枠の側部に対して前枠ヒンジ５ａ，５ｂにより前面枠５が開閉可能に取り付けられている。
【００１９】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００２０】
遊技盤６の盤面上にガイドレール１６等によって略円形に形成される遊技領域内には、センター役物１１として演出表示装置１２が設けられ、その周囲には図示しない釘、スルーチャッカー１３、始動入賞口としての電動チューリップ１４、アタッカー（大入賞口）１５などの盤面部品が設けられ、遊技領域の最下端にはやアウト球（電動チューリップ１４，アタッカー１５に入賞しなかった遊技球）を回収するアウト口１７が設けられている。また、図１では演出表示装置１２として、表示ユニットＵ及び具象体として蓋１８ａ及び箱本体１８ｂとで構成される宝箱１８（装飾部）が２か所に設けられている。また、前面枠５にはシリンダ錠５ｃが設けられている。図示しないキーを鍵穴に挿入して回転操作することでシリンダ錠５ｃの開錠施錠が行われる。シリンダ錠５ｃはキーを差し込んで一方向へ回転させると外枠２と内枠３の施錠が開錠され、他方向へ回転させると前面枠５と内枠３の施錠が開錠するようになっている。
【００２１】
次に、演出表示装置１２の一例について、図２乃至図１７を参照して説明する。演出表示装置１２は、図１の遊技盤６の中央部開口に設けられるセンター役物１１の枠内に組み付けられ、例えば始動入賞口としての電動チューリップ１４への遊技球の入賞にともなう始動条件に応じて演出表示する。演出表示装置１２は、複数のセグメント表示部、具体的には７セグメント表示部Ｈ１〜Ｈ７（以下「７セグ表示部Ｈ１〜Ｈ７」という）の両端が互いに回動可能に連結された少なくとも１以上の環状部を形成する表示ユニットＵを複数箇所に備えている。表示ユニットＵは、複数の環状部が高さ方向及び幅方向に最大限変形した表示状態（図１参照）と、後述する駆動部によって、複数の環状部が高さ方向及び幅方向に変形させて可変表示する可変表示状態とで表示ユニットＵを連続して変形表示させるようになっている。
【００２２】
また、図１０（Ａ）に示すように、表示ユニットＵの前方下方に位置して宝箱１８の箱本体１８ｂ（第一装飾部）が設けられ、箱本体１８ｂの後方には、後述する宝石装飾部１９（可動発光装飾部：図１２（Ａ），（Ｂ）参照）が出現可能に設けられている。宝箱１８を構成する箱本体１８ｂ（第一装飾部）は、後述するように表示ユニットＵと共に移動するように組み付けられている（図８（Ｃ）参照）。尚、宝箱１８（蓋１８ａ及び箱本体１８ｂ）には、図示しない発光部が設けられており、該発光部を発光させることで随時装飾効果を高めることが好ましい。
【００２３】
７セグ表示部Ｈ１〜Ｈ７は、図１に示すように、複数の環状部として７セグ表示部Ｈ１〜Ｈ４による第一環状部ＨＡと７セグ表示部Ｈ４〜Ｈ７による第二環状部ＨＢを有している。これらのうち、７セグ表示部Ｈ４は、第一環状部ＨＡ（Ｈ１〜Ｈ４），第二環状部ＨＢ（Ｈ４〜Ｈ７）の一部を形成し、分割表示部Ｈ４１及びＨ４２（図２参照）を備えている。そして、図２に示すように７セグ表示部Ｈ４を除く７セグ表示部Ｈ１〜Ｈ３，Ｈ５〜Ｈ７はそれぞれ後方にＬＥＤ等の光源が配置されるレンズ部材Ｈ１Ｌ〜Ｈ３Ｌ，Ｈ５Ｌ〜Ｈ７Ｌを備え、７セグ表示部Ｈ４は分割表示部Ｈ４１と分割表示部Ｈ４２にそれぞれ後方にＬＥＤ等の光源が配置されるレンズ部材Ｈ４１Ｌ，Ｈ４２Ｌを備えている。分割表示部Ｈ４１と分割表示部Ｈ４２は、後述するように、前後に重なった表示状態と直列に連なった表示状態とで変更可能に組み付けられている。７セグ表示部Ｈ１〜Ｈ７が高さ方向に最大限変形した表示状態では互いに重なった表示状態（縮んだ状態：図６（Ａ）参照）にあり、それ以外では互いに直列に連なった表示状態（伸びた状態：図６（Ｂ）参照）となる。
【００２４】
ここで、表示ユニットＵを構成する７セグ表示部Ｈ１〜Ｈ７の一例について、図２乃至図５を参照して説明する。
図２及び図３に示すように、第一環状部ＨＡの縦表示部を構成する７セグ表示部Ｈ１，Ｈ３の後面側一端部（図２上端部）にはボス孔を有するボス部ｈ１１，ｈ３１が設けられている。そして、７セグ表示部Ｈ１，Ｈ３の後面側他端部（図２下端部）にはピンｈ１２，ｈ３２が各々突設されている。また、図３に示すように、第一環状部ＨＡの上横表示部を構成する７セグ表示部Ｈ２の後面側両端部にはピンｈ２１，ｈ２２が各々突設されている。ピンｈ２１，ｈ２２をボス部ｈ１１、ｈ３１のボス孔に挿入し、捩じりコイルばね２０ａのコイル孔にボス部ｈ１１を挿通させてその両端部を７セグ表示部Ｈ１及びＨ２の係止部ｈ１３，ｈ２３に各々係止させ、捩じりコイルばね２０ｂのコイル孔にボス部ｈ３１を挿通させてその両端を７セグ表示部Ｈ２及びＨ３の係止部ｈ２４，ｈ３３に各々係止させることにより、７セグ表示部Ｈ１とＨ２との開き角及び７セグ表示部Ｈ２とＨ３との開き角が各々狭まる向きに常時付勢されている（図７（Ｅ）参照）。７セグ表示部Ｈ２の上辺部には、蓋ホルダーＨ２１が固設されている。蓋ホルダーＨ２１は、後述する第一スライダー２５にヒンジ軸６６を中心に回動可能に組み付けられる蓋１８ａを閉じた状態で支持する。ヒンジ軸６６には捩じりコイルばね１８ｃが嵌め込まれており、蓋１８ａが蓋ホルダーＨ２１に支持されるように箱本体１８ｂに閉塞する向き（水平状態となる向き）に常時付勢されている（図１５（Ｂ），（Ｃ）参照）。
【００２５】
図２及び図３に示すように、第二環状部ＨＢの縦表示部を構成する７セグ表示部Ｈ５，Ｈ７の後面側一端部（図２下端部）にはボス孔を有するボス部ｈ５１，ｈ７１が設けられている。また、７セグ表示部Ｈ５，Ｈ７の後面側他端部（図２上端部）にはピンｈ５２，ｈ７２が各々突設されている。図３に示すように、第二環状部ＨＢの下横表示部を構成する７セグ表示部Ｈ６の後面側両端部にはピンｈ６１，ｈ６２が各々突設されている。ピンｈ６１，ｈ６２をボス部ｈ７１、ｈ５１のボス孔に挿入し、捩じりコイルばね２０ｃのコイル孔にボス部ｈ５１を挿通させてその両端部を７セグ表示部Ｈ５及びＨ６の係止部ｈ５３，ｈ６３に各々係止させ、捩じりコイルばね２０ｄのコイル孔にボス部ｈ７１を挿通させてその両端部を７セグ表示部Ｈ６及びＨ７の係止部ｈ６４，ｈ７３に各々係止させることにより、７セグ表示部Ｈ５とＨ６との開き角、７セグ表示部Ｈ６とＨ７との開き角が各々狭まる向きに常時付勢されている（図７（Ｅ）参照）。このように、捩じりコイルばね２０ａ〜２０ｄは、傾動変位する７セグ表示部Ｈ１，Ｈ３，Ｈ５，Ｈ７を起立する方向に付勢し、表示ユニットＵの起立表示状態を保持する保持手段の機能を備えている。保持手段を備えることで、確実に起立表示状態を表出維持させることができる。
【００２６】
図４及び図５において、第一環状部ＨＡ及び第二環状部ＨＢと共有する７セグ表示部Ｈ４を構成する分割表示部Ｈ４１は、中間表示部４１ａと該中間表示部４１ａをスライド可能に支持する中間ベース部４１ｂが後面側に一体に組み付けられている。また、分割表示部Ｈ４２は、中間表示部４２ａと該中間表示部４２ａをスライド可能に支持する中間ベース部４２ｂが後面側に一体に組み付けられている。
【００２７】
図５において、中間表示部４１ａの後面には長円形状のスライドブロック４１ｃが突設されており、中間ベース部４１ｂの長孔４１ｄに沿ってスライド可能に挿入されている。スライドブロック４１ｃの後面には、ねじ孔４１ｅが設けられている。このねじ孔４１ｅに長孔４１ｄの後面側よりワッシャー付ねじ４１ｆをねじ篏合させることで、スライドブロック４１ｃが長孔４１ｄより抜け止めされ、図２及び図３に示すように中間表示部４１ａと中間ベース部４１ｂが一体的に組み付けられて、分割表示部Ｈ４１を構成する。
【００２８】
また、中間表示部４１ａのスライドブロック４１ｃの近傍には係止部４１ｇが突設されており、中間ベース部４１ｂの後面視左端部には係止部４１ｈが設けられている。この係止部４１ｇと係止部４１ｈとの間にはコイルばね４１ｉが架設される。図４に示すように、コイルばね４１ｉは、中間表示部４１ａの右端部４１ｊが中間ベース部４１ｂのストッパ部４１ｋに突き当たる向きに常時付勢する。
【００２９】
図５において、中間表示部４２ａの後面には一対のスライドボス４２ｃが横並びに突設されており、中間ベース部４２ｂの長孔４２ｄに沿ってスライド可能に挿入されている。各スライドボス４２ｃの中心部には、ねじ孔４２ｅが設けられている。このねじ孔４２ｅに長孔４２ｄの後面側よりワッシャー付ねじ４２ｆをねじ篏合させることで、スライドボス４２ｃが長孔４２ｄより抜け止めされ、図２及び図３に示すように中間表示部４２ａと中間ベース部４２ｂが一体的に組み付けられて、分割表示部Ｈ４２を構成する。
【００３０】
また、中間表示部４２ａのスライドボス４２ｃの近傍には係止部４２ｇが突設されており、中間ベース部４２ｂの後面視右端部には係止部４２ｈが設けられている。この係止部４２ｇと係止部４２ｈとの間にはコイルばね４２ｉが架設される。図４に示すように、コイルばね４２ｉは、中間表示部４２ａの左端部４２ｊが中間ベース部４２ｂのストッパ部４２ｋに突き当たる向きに常時付勢する。
【００３１】
７セグ表示部Ｈ４は、図２及び図３に示すように分割表示部Ｈ４１の後面側に分割表示部Ｈ４２が重なるように配置構成される。具体的には、図５に示すように、中間表示部４２ａが中間ベース部４１ｂの後面側に重なるように配置され、図４に示すようにレンズ部材Ｈ４１Ｌがレンズ部材Ｈ４２Ｌと前後に重なり合うように配置される。このとき、分割表示部Ｈ４１の左端部４１ｎは、この左端部４１ｎと相似形に形成された分割表示部Ｈ４２の左端ストッパ４２ｎ（図４参照）に突き当てられて７セグ表示部Ｈ４として表示されるようになっている（図６（Ａ）参照）。つまり、７セグ表示部Ｈ４としては、分割表示部Ｈ４１のレンズ部材Ｈ４１Ｌが視認可能となっている。なお、分割表示部Ｈ４１と分割表示部Ｈ４２が図６（Ｂ）に示すように互いに直列に連なった表示状態では、図５に示すように中間ベース部４１ｂの後面側端部に突出形成される係止片４１ｐと中間表示部４２ａの前面側端部に突出形成される係止片４２ｐとが係止して、分割表示部Ｈ４１のそれ以上の拡開を規制し、７セグ表示部Ｈ４としては、分割表示部Ｈ４１のレンズ部材Ｈ４１Ｌと分割表示部Ｈ４２のレンズ部材Ｈ４２Ｌとが視認可能となる。
【００３２】
中間ベース部４１ｂの一端側上部（図４の右端側上部）には、ピン孔ｈ４１ａが設けられており、一端側下部（図４の右端側下部）にはピン孔ｈ４１ｂが各々設けられている。また、中間ベース部４２ｂの一端側上部（図４の左端側上部）には、ピン孔ｈ４２ａが設けられており、一端側下部（図４の右端側下部）にはピン孔ｈ４２ｂが各々設けられている。
【００３３】
また、図４に示すように、中間ベース部４１ｂの後面には、駆動伝達ピン４１ｍが突設されており、中間ベース部４２ｂの後面には、駆動伝達ピン４２ｍが突設されている。駆動伝達ピン４１ｍ，４２ｍには、後述する駆動部より駆動伝達されて分割表示部４２Ｈの手前に分割表示部４１Ｈが前後に重なった表示状態（図６（Ａ））と、分割表示部４１Ｈと分割表示部４２Ｈが直列状に連なった可変表示状態（図６（Ｂ））とで変形表示させることができる。
【００３４】
図３に示すように、７セグ表示部Ｈ１の後面側他端部（図３下端部）に突設されたピンｈ１２は、中間ベース部４２ｂのピン孔ｈ４２ａに嵌め込まれ、７セグ表示部Ｈ３の後面側他端部（図３下端部）に突設されたピンｈ３２は、中間ベース部４１ｂのピン孔ｈ４１ａに嵌め込まれ、抜け止めワッシャー２１ａ，２１ｂにより抜け止められて組み付けられる。
また、７セグ表示部Ｈ５の後面側他端部（図３上端部）に突設されたピンｈ５２は中間ベース部４１ｂのピン孔ｈ４１ｂに嵌め込まれ、７セグ表示部Ｈ７の後面側他端部（図３上端部）に突設されたピンｈ７２は中間ベース部４２ｂのピン孔ｈ４２ｂに嵌め込まれ、抜け止めワッシャー２１ｃ，２１ｄにより抜け止められて組み付けられる。
【００３５】
次に表示ユニットＵを連続して変形表示させる駆動部Ｍの一例について図６〜図９を参照して説明する。表示ユニットＵ（７セグ表示部Ｈ１〜Ｈ７）は、図９に示すように、７セグベース前面カバー２２を介して７セグベース２３と一体に組み付けられる。７セグベース２３の後面には、その長手方向中央部に回転軸２３ａが突設されている。また回転軸２３ａより上方にはガイドピン２３ｂが突設され、回転軸２３ａより下方には左右に位置をずらして板状のガイド突起２３ｃ，２３ｄが各々突設されている。回転軸２３ａにはピニオンギヤ２４が回転自在に組み付けられる。また、ピニオンギヤ２４には、第一スライダー２５に設けられたラック部２５ａと第二スライダー２６に設けられたラック部２６ａとが対向位置で各々噛み合うように組み付けられる。
【００３６】
第一スライダー２５は、下方に内向きのラック部２５ａが延設され、上端に軸受け部２５ｃ，２５ｃが設けられヒンジ軸６６を介して蓋１８ａが回動自在に軸支される。また、板状部には縦長のガイド孔２５ｂが穿設されており、ガイド孔２５ｂにはガイドピン２３ｂが挿入される（図７（Ｃ），（Ｄ）参照）。第二スライダー２６は、上方に内向きのラック部２６ａが延設され、後面側部にはローラワッシャー２６ｄ，２６ｅが突設されている。そして、板状部には左右に位置をずらして縦長のガイド孔２６ｂ，２６ｃが穿設されており、ガイド孔２６ｂ、２６ｃには７セグベース２３のガイド突起２３ｃ，２３ｄが各々挿入される（図７（Ｃ），（Ｄ）参照）。ガイド孔２５ｂ，２６ｂ，２６ｃは、表示ユニットＵの高さ方向の移動量を規定している。また、７セグベース２３の後面には、７セグベース後面カバー２７を第一スライダー２５及び第二スライダー２６に重ねわせて一体に組み付けられる。７セグベース後面カバー２７の後面にはボス部２７ａ，２７ｂが突設されており、ボス部２７ａ，２７ｂの中心部にはねじ孔が設けられている。
【００３７】
モータベース２８には、正逆回転駆動可能な昇降用モータ２９（第一駆動源）が一体に組み付けられる。昇降用モータ２９のモータ軸２９ａにはモータベース２８を介してモータギヤ３０が一体に組み付けられる。モータベース２８には軸２８ａ，２８ｂ、２８ｃが各々突設されている。軸２８ａには従動ギヤ３１が回転自在に組み付けられ、軸２８ｂには昇降用クランクギヤ３２が回転自在に組み付けられる。クランクギヤ３２の後側面にはクランクピン３２ａが突設されている。また軸２８ｃには昇降アーム３３の一端に設けられた軸孔３３ａが挿入されて昇降アーム３３が回動可能に組み付けられる。昇降アーム３３の中途部には長孔３３ｂが穿孔されている。この長孔３３ｂにクランクギヤ３２のクランクピン３２ａが挿入されて組み付けられる。また、昇降アーム３３の他端後面には係合ピン３３ｃが突設されている。この係合ピン３３ｃは、７セグベース２３の下端部に水平長孔状設けられた係合孔２３ｅに挿入されてローラワッシャー３３ｄ，３３ｅを介してＥリングにより抜け止めされて組み付けられる。また、係合孔２３ｅの側方に、後述するガイドシャフト３９に挿通するシャフト挿通部２３ｆが形成されている。
【００３８】
図９に示すように、モータベース２８及び表示ユニットＵが一体となった７セグベース２３は、駆動ベース３４の前面側に各々組み付けられる。また、駆動ベース３４には、中央上部に開口部３４ａが設けられその両側にスリット３４ｂが各々設けられている。開口部３４ａには、７セグベース後面カバー２７に突設されたボス部２７ａ，２７ｂが挿入配置される。また、一対のスリット３４ｂには、ローラワッシャー２６ｄ，２６ｅが各々挿入され、７セグベース２３の上下動をガイドするようになっている。
【００３９】
図９において、駆動ベース３４の背面側には、表示ユニットＵを高さ方向及び幅方向に変形させる第一駆動機構ＭＡが設けられる。具体的には、開口部３４ａに配置されたボス部２７ａ、２７ｂには一対の開閉アーム３６ａ，３６ｂが開閉可能に組み付けられる。開閉アーム３６ａ，３６ｂには軸孔３６ｃ，３６ｄが設けられている。この軸孔３６ｃ，３６ｄの近傍で開閉アーム３６ａ，３６ｂの対向する側面部には互いに噛合するギヤ歯３６ｅ，３６ｆが各々設けられている。開閉アーム３６ａの先端部には長孔状の係合孔３６ｇが穿孔されている。また開閉アーム３６ｂの先端部には長孔状の係合孔３６ｈが穿孔され、下端部にはボス部３６ｉが突設されている。係合孔３６ｇには中間ベース部４１ｂの駆動伝達ピン４１ｍが挿入されて抜け止めされて組み付けられる。係合孔３６ｈには中間ベース部４２ｂの駆動伝達ピン４２ｍが挿入されて抜け止めされて組み付けられる。駆動ベース３４の上端には、表示ユニットＵが幅方向に最大限変形した表示状態で開閉アーム３６ａ，３６ｂと連繋する駆動伝達ピン４１ｍ、４２ｍが位置する逃げ凹部３４ｃが設けられている。開閉アーム３６ａはボス部２７ａが軸孔３６ｃに挿入されて組み付けられ、開閉アーム３６ｂはボス部２７ｂが軸孔３６ｄに挿入されて組み付けられる。このとき、ギヤ歯３６ｅとギヤ歯３６ｆが互いに噛み合って組み付けられる。これにより、一対の開閉アーム３６ａ，３６ｂの開閉動作が同期を取って行われる。
【００４０】
一対の開閉アーム３６ａ，３６ｂの後面には、開閉アーム３６ａ，３６ｂを保持する第一駆動ガイドベース３７が重ねて組み付けられる。具体的には、第一駆動ガイドベース３７にはボス部２７ａ，２７ｂに対応する一対のねじ孔３７ａが設けられている。また、７セグベース２３の後面上端に設けられたボス部２７ｅが篏合する篏合孔３７ｂが設けられている。ボス部２７ｅにもねじ孔が設けられている。ボス部２７ａ，２７ｂとねじ孔３７ａを位置合わせし、ボス部２７ｅを篏合孔３７ｂに篏合させて駆動ガイドベース３７の後面よりねじ止めすることで一体に組み付けられる（図８（Ｄ）参照）。
【００４１】
また、駆動ベース３４の背面側には、第一駆動ガイドベース３７の後面に位置するように、第二駆動ガイドベース３８が重ねて組み付けられる。第二駆動ガイドベース３８には上下方向に延びる長溝と略左右方向に傾斜して延びる短溝が連続する逆Ｌ字状のカム溝３８ａが穿孔され、カム溝３８ａ内にローラワッシャー３８ｂ，３８ｂを介して開閉アーム３６ｂ下端部のボス部３６ｉが挿入されている。このボス部３６ｉのねじ孔に、第二駆動ガイドベース３８の後面側よりねじ３８ｃをねじ篏合させて抜け止められて組み付けられる。駆動ベース３４の後面に四か所突設されたボス部３４ｄを第二駆動ガイドベース３８に設けられた篏合孔３８ｄに篏合させてねじ篏合することで、第二駆動ガイドベース３８は駆動ベース３４と一体に組み付けられる（図８（Ｄ）参照）。上記ボス部３６ｉが挿入されるカム溝３８ａの移動範囲により、一対の開閉アーム３６ａ，３６ｂが連繋する表示ユニットＵ（分割表示部Ｈ４１，Ｈ４２）の高さ方向及び幅方向の変形量が規定される。
【００４２】
具体的には、ボス部３６ｉが長溝部を移動することにより図１０（Ｄ）に示す表示ユニットＵ（７セグメント表示部Ｈ１〜Ｈ７）が幅方向に最大限変形した圧縮状態で宝箱１８に収納された状態から、図１０（Ｃ）に示す表示ユニットＵが幅方向に最大限変形した圧縮状態で宝箱１８から表出した状態に移動する。そして、短溝部を移動することによりアーム３６ａ，３６ｂが漸次拡開し、表示ユニットＵ（７セグメント表示部Ｈ１〜Ｈ７）が図１０（Ｂ）に示す状態から徐々に幅方向が縮小変形すると共に高さ方向に拡大変形し図１０（Ａ）に示す高さ方向に最大限変形した表示状態となる。
【００４３】
また、図９において、駆動ベース３４の前面側に高さ方向に沿ってガイドシャフト３９が一体に組み付けられており、７セグベース２３のシャフト挿通部２３ｆをガイドシャフト３９に挿通させて７セグベース２３が駆動ベース３４に組み付けられる。このガイドシャフト３９には、蓋開閉部材３５をその長手方向に２か所に設けられたガイド部３５ａに挿入させて組み付けられる。ガイドシャフト３９は、後述するように蓋開閉部材３５の昇降動作をガイドする。蓋開閉部材３５は、後述する宝石装飾部１９を駆動する第二駆動源（装飾昇降用モータ５２）より駆動伝達されて昇降動作するようになっている。
【００４４】
ここで、表示ユニットＵを変形表示させる第一駆動機構ＭＡの駆動動作について説明する。以下の説明では、第一環状部ＨＡ（７セグ表示部Ｈ１〜Ｈ４）及び第二環状部ＨＢ（７セグ表示部Ｈ４〜Ｈ７）が高さ方向に最大限変化した位置を通常の表示状態（図１０（Ａ）参照：抽選待機状態）とし、それより第一環状部ＨＡ（７セグ表示部Ｈ１〜Ｈ４）及び第二環状部ＨＢ（７セグ表示部Ｈ４〜Ｈ７）が高さ方向及び幅方向に変化して箱本体１８ｂより露出した任意の位置を可変表示状態とし（抽選状態；図１０（Ｂ），（Ｃ）参照）、可変表示状態において蓋１８ａが箱本体１８ｂに閉じた宝箱１８の箱本体１８ｂの背後に７セグ表示部Ｈ１〜Ｈ７が隠れた状態（図１０（Ｄ）参照）を抽選確定直前状態として説明する。ここでは、７セグ表示部Ｈ１〜Ｈ７の発光パターンによって「０」〜「９」の一桁の数字を表示するものとする。
【００４５】
図１０（Ａ）に示すように、始動条件が揃わない場合には、表示ユニットＵは、宝箱１８の蓋１８ａと共に７セグ表示部Ｈ１〜Ｈ７は第一環状部Ｈ１〜Ｈ４及び第二環状部Ｈ４〜Ｈ７が縦長に起立した表示状態にある（図６（Ａ）参照）。
このとき、図７（Ｅ）に示すように、７セグ表示部Ｈ１とＨ２に両端部が係止する捩じりコイルばね２０ａ、７セグ表示部Ｈ２とＨ３に両端部が係止する捩じりコイルばね２０ｂ、７セグ表示部Ｈ５とＨ６に両端部が係止する捩じりコイルばね２０ｃ、７セグ表示部Ｈ６とＨ７に両端部が係止する捩じりコイルばね２０ｄが各々弾発して開き角が狭まるように変形する。このため、捩じりコイルばね２０ａ〜２０ｄが、表示ユニットＵの起立表示状態を保持する保持手段の機能を果たしている。具体的には、図６（Ａ）に示すように７セグ表示部Ｈ２に対して７セグ表示部Ｈ１，Ｈ３が直交し、７セグ表示部Ｈ６に対して７セグ表示部Ｈ５，Ｈ７が直交する状態となり、分割表示部Ｈ４１及びＨ４２はコイルばね４１ｉ，４２ｉの引っ張り力により分割表示部Ｈ４１の後面に分割表示部Ｈ４２が重なる。これにより、７セグ表示部Ｈ１〜Ｈ７は第一環状部ＨＡ（７セグ表示部Ｈ１〜Ｈ４）及び第二環状部ＨＢ（７セグ表示部Ｈ４〜Ｈ７）が幅方向に最大限変化した可変表示状態から第一環状部ＨＡ（７セグ表示部Ｈ１〜Ｈ４）及び第二環状部ＨＢ（７セグ表示部Ｈ４〜Ｈ７）が高さ方向に最大限変化した表示状態となる（図１０（Ｄ）から図１０（Ａ）に示す状態となる）。尚、蓋１８ａも表示ユニットＵと共に高さ方向に移動する。
【００４６】
この状態で、例えば図１に示す電動チューリップ１４（始動入賞口）への遊技球の入賞（始動条件）を待って表示ユニットＵに表示する数字を変化させる。表示ユニットＵの数字が変化して、大当たりへのリーチ（同じ数字が揃う状態）が発生すると、図６（Ａ）において、昇降用モータ２９を反時計回り方向に回転駆動させ、モータギヤ３０も同方向に回転し、これと噛み合う従動ギヤ３１が時計回り方向に回転する。従動ギヤ３１と噛み合うクランクギヤ３２が反時計回り方向に回転する。このとき、クランクピン３２ａが挿入された長孔３３ｂを通じて昇降アーム３３が軸２８ｃを中心として反時計回り方向に回転する。これにより、昇降アーム３３の係合ピン３３ｃが係合する７セグベース２３が鉛直下方に移動させる。７セグベース２３が下動すると、図１０（Ｂ）〜図１０（Ｄ）に示すように宝箱１８の箱本体１８ｂは移動せず蓋１８ａが表示ユニットＵと共に下降する。
【００４７】
図７（Ｃ）において、７セグベース２３が鉛直下方に押し下げられると、ピニオンギヤ２４が反時計回り方向に相対回転するため、第二スライダー２６は相対的に押し上げられ、第一スライダー２５は相対的に押し下げられる。このため、図７（Ｄ）に示すように７セグベース２３が下降するのに伴って第一スライダー２５は下降し、第二スライダー２６は上昇する。
【００４８】
このとき、図７（Ａ）に示す状態から、ローラワッシャー３８ｂがカム溝３８ａの下端に向かって移動するため、開閉アーム３６ｂが軸孔３６ｄを中心に時計回り方向に回転し、ギヤ歯３６ｆと噛み合うギヤ歯３６ｅを通じて開閉アーム３６ａを反時計回り方向に回転させる。このため、図７（Ｂ）に示すように開閉アーム３６ａ，３６ｂの係合孔３６ｇ，３６ｈに係合する駆動伝達ピン４１ｍ，４２ｍが互いに離間する位置、即ちアーム先端部が開く方向に移動する（図１１（Ａ）から図１１（Ｄ）に向かって変化する）。
【００４９】
尚、図１０（Ａ）の状態においてリーチ状態になると、昇降用モータ２９を反時計回り方向に回転駆動すると表示ユニットＵは図１０（Ｂ）から図１０（Ｃ）へ高さ方向に低くかつ幅方向に広くなるように移動し、昇降用モータ２９を時計回り方向に回転駆動すると、表示ユニットＵは図１０（Ｃ）から図１０（Ｂ）へ高さ方向に高くかつ幅方向に狭くなるように移動する。よって、昇降用モータ２９を正逆回転駆動することにより、表示ユニットＵは、図１０（Ｂ）と図１０（Ｃ）の可変表示状態（抽選状態）を交互に繰り返す演出を行うことができる。具体的な演出として、表示ユニットＵは図１０（Ｃ）から図１０（Ｂ）に上下方向の一方向に変形するときに、表示ユニットＵを押し潰すような演出となることから、遊技者は恰も数字を押し潰して変化させるように認識する。
【００５０】
そして、表示ユニットＵの可変数字の抽選が確定する直前に、図１０（Ｄ）に示す宝箱１８の箱本体１８ｂの背後に７セグ表示部Ｈ１〜Ｈ７が隠れた状態（第一環状部ＨＡ及び第二環状部ＨＢが潰れた状態：抽選確定直前状態）まで変化させる（図８（Ａ）参照）。この抽選確定直前状態では、図７（Ｂ）に示すように、開閉アーム３６ａ，３６ｂは、ローラワッシャー３８ｂがカム溝３８ａの下端に位置し、軸孔３６ｃ，３６ｄを中心に上端部が左右に開いた状態にある（図８（Ｂ）参照）。また、図６（Ｂ）に示すように、宝箱１８の箱本体１８ｂの背後で７セグ表示部Ｈ１〜Ｈ７は第一環状部（Ｈ１〜Ｈ４）及び第二環状部（Ｈ４〜Ｈ７）が扁平状に潰れた状態にある。具体的には、図７（Ｆ）に示すように７セグ表示部Ｈ１〜Ｈ３及び７セグ表示部Ｈ５〜Ｈ７は、捩じりコイルばね２０ａ〜２０ｄの付勢に抗して開き角が鈍角となるように拡大し、分割表示部Ｈ４１，Ｈ４２は、中間表示部４１ａと中間表示部４２ａがコイルばね４１ｉ，４２ｉの引っ張り力に抗して幅方向に直列に伸びた状態にある。
このように、抽選確定直前状態では、宝箱１８の箱本体１８ｂの背後で７セグ表示部Ｈ１〜Ｈ７は隠れた状態にあるため、抽選が確定したとき、即ち７セグ表示部Ｈ１〜Ｈ７が蓋１８ａと共に箱本体１８ｂより高さ方向に出現して当たり数字若しくは外れ数字を表示するので、遊技者の期待感を最高潮に高める演出を行うことができる。尚、表示ユニットＵで可変数字の抽選が確定すると、図６（Ｂ）において昇降用モータ２９を時計回り方向に回転駆動して、表示ユニットＵを高さ方向に最大限変化した通常の表示状態（図６（Ａ）参照：抽選待機状態）に戻る（図１０（Ａ）参照）。
【００５１】
以上説明したように、パチンコ機１の所定の始動条件（例えば遊技球の入賞等）に応じて駆動部を駆動して表示ユニットＵを第一環状部ＨＡ（７セグ表示部Ｈ１〜Ｈ４）及び第二環状部ＨＢ（７セグ表示部Ｈ４〜Ｈ７）が高さ方向及び幅方向に最大限変化した表示状態と第一環状部ＨＡ（７セグ表示部Ｈ１〜Ｈ４）及び第二環状部ＨＢ（７セグ表示部Ｈ４〜Ｈ７）を高さ方向及び幅方向に変化させて可変表示する可変表示状態とで表示ユニットＵを連続して変形表示させることができる。よって、遊技者は、表示ユニットＵが複数の環状部（第一環状部ＨＡ，第二環状部ＨＢ）が高さ方向に最大限変化した表示状態から、所定の始動条件を満たすと複数の環状部（第一環状部ＨＡ，第二環状部ＨＢ）が高さ方向及び幅方向に連続変化する可変表示状態となって大当たりへの期待感を増大させ遊技者の興趣を持続的に高めることができる。また、抽選結果は７セグ表示部Ｈ１〜Ｈ７が宝箱１８の箱本体１８ｂの背後に隠れた状態から再度出現することによる意外性によってさらに興趣を高めることができる。
【００５２】
例えば、表示ユニットＵは、遊技球の入賞により始動条件が揃うと図１０（Ａ），図１１（Ａ）に示す宝箱１８の蓋１８ａが箱本体１８ｂより開放された表示状態（抽選待機状態）から蓋１８ａが下方に移動すると共に７セグ表示部Ｈ１〜Ｈ７が可変表示状態（図１０（Ｂ），（Ｃ）、図１１（Ｂ），（Ｃ）参照）となって可変表示しながら抽選を待つ。そして、抽選確定直前状態になると、宝箱１８の箱本体１８ｂの背後に７セグ表示部Ｈ１〜Ｈ７が隠れた状態（図１０（Ｄ）、図１１（Ｄ）参照）となる。
【００５３】
そして、抽選が確定する（大当たりが発生若しくは外れる）と、図１０（Ａ），図１１（Ａ）に示すように、宝箱１８の蓋１８ａが箱本体１８ｂより開放され、第一環状部ＨＡ（７セグ表示部Ｈ１〜Ｈ４）及び第二環状部ＨＢ（７セグ表示部Ｈ４〜Ｈ７）が高さ方向に最大限変化した表示状態（抽選待機状態）に戻る。
また、大当たりが出た直後においては、表示ユニットＵは表示状態に戻る前に、可変表示状態において、７セグ表示部Ｈ１〜Ｈ７のうちＨ３、Ｈ４（Ｈ４１，Ｈ４２）、Ｈ５のみを点灯表示することで右向き矢印「→」を表示させて、遊技者に右打ちを案内表示させるようにすることもできる（図６（Ｂ），図１０（Ｂ），（Ｃ）参照）。
また、図１に示すように複数の表示ユニットＵを有するパチンコ機１においては、全ての表示ユニットＵを表示状態から可変表示状態として抽選を行ってもよいし、一部の表示ユニットＵは表示状態のままで、残りの表示ユニットＵは可変表示状態に移行して大当たりへの期待感を高まる演出をすることも可能となる。
【００５４】
次に演出表示装置１２に具備する装飾部の構成について図１２乃至図１７を参照して説明する。通常時は、宝箱１８（装飾部）を構成する箱本体１８ｂ（第一装飾部）と蓋１８ａ（第二装飾部）は、図１に示すように表示ユニットＵの上下に離間して位置しており、蓋１８ａ（第二装飾部）は、表示ユニットＵと共に高さ方向に可動した状態となっている。
また、箱本体１８ｂの後面側には宝箱１８と関連する具象体として宝石装飾部１９（可動発光装飾部）が配置されている。この宝石装飾部１９の後面側には、一対の装飾表示部１９ａ，１９ｂが宝石装飾部１９の後面に重なり合う収納位置と宝石装飾部１９の両側に出現する表示位置との間を移動可能に設けられている。この宝石装飾部１９は、例えば可変表示位置にある表示ユニットＵ（７セグ表示部Ｈ１〜Ｈ７）前面側に重ねて配置され発光表示する。このとき、装飾表示部１９ａ，１９ｂは、光を拡散させると共に宝石装飾部１９がレンズとなって後面側の７セグ表示部Ｈ１〜Ｈ７に光照射して発光表示させるようになっている。
【００５５】
次に、宝石装飾部１９の駆動部の一例について説明する。
図１２（Ｂ）において、駆動ベース３４の前面側には装飾ベース４５が一体に組み付けられている。装飾ベース４５は、駆動ベース３４の前面側に複数突設されたボス部３４ｅ（図１６，図１７参照）に重ね合わせてねじ止めされて一体に組み付けられている。この装飾ベース４５の前面側上部には、宝箱１８の箱本体１８ｂが一体に組み付けられている。また、装飾ベース４５の前面には、図１３に示すようにガイドシャフト４６が高さ方向に一体に組み付けられると共に、ガイドシャフト４６に宝石スライダー４７が昇降可能に設けられている。
【００５６】
図１３（Ａ），（Ｂ）に示すように、宝石スライダー４７の側面部には筒孔が形成された係合部４７ａが設けられている。宝石スライダー４７は係合部４７ａにはガイドシャフト４６を挿通させて昇降可能に組み付けられている。また、宝石スライダー４７の下端部には、係合孔４７ｂ（長孔）が設けられており、該係合孔４７ｂには宝石駆動アーム４８の一端部４８ａがローラワッシャー４９を介して回動可能に係合している。ローラワッシャー４９は、装飾ベース４５に設けられたスリット孔４５ａに案内されて移動可能に組み付けられている。宝石駆動アーム４８の他端部４８ｂ側は、モータ押さえ板５０にワッシャー付ねじにより抜け止めされて軸部５１を中心に回動可能に組み付けられている（図１２（Ａ），（Ｂ）参照）。宝石駆動アーム４８には、その長手方向沿って略への字状のカム溝４８ｃが設けられている。
【００５７】
図１３（Ａ）に示すように、装飾ベース４５の後面には、装飾昇降用モータ５２（第二駆動源）が組み付けられている。この装飾昇降用モータ５２のモータ軸５２ａにはモータギヤ５３が組み付けられている。モータギヤ５３は、クランクギヤ５４と噛み合っている。クランクギヤ５４は、装飾ベース４５に回転可能に軸支されている。クランクギヤ５４の前側面にはクランクピン５４ａが突設されている。このクランクピン５４ａは、宝石駆動アーム４８のカム溝４８ｃに挿入されている。
【００５８】
また、図１３（Ａ），（Ｂ）に示すように、装飾ベース４５には、ガイドシャフト４６の近傍に当該ガイドシャフト４６と平行に高さ方向にラック部４５ｂが形成されている。また、宝石スライダー４７の後面側には、宝石ピニオンギヤ５５が回転自在に支持されており、宝石ピニオンギヤ５５はラック部４５ｂと噛み合っている。
【００５９】
また、図１３（Ａ），（Ｂ）に示すように、宝石スライダー４７の後面側には、宝石二段ギヤ５６が回転自在に設けられている。宝石二段ギヤ５６は大径ギヤ５６ａと小径ギヤ５６ｂが同軸状に組み付けられている。また、宝石装飾部１９の後面側に設けられる宝石裏カバー１９ｃの軸部１９ｄには、宝石駆動ギヤ５７がねじ１９ｅにより一体に組み付けられている（図１４（Ｂ）参照）。これらのギヤ列は、宝石スライダー４７に回転可能に各々支持されている。小径ギヤ５６ｂは宝石駆動ギヤ５７と噛み合っている。宝石駆動ギヤ５７の後面側には捩じりコイルばね５８のコイル部が軸部１９ｄと同軸状に嵌め込まれている。宝石駆動ギヤ５７の後面側には固定板５９が一体に組み付けられ、捩じりコイルばね５８が宝石駆動ギヤ５７と固定板５９との間に抜け止めされて組み付けられている。捩じりコイルばね５８の一端５８ａは宝石駆動ギヤ５７の後側面部に設けられた係止部５７ａと係止しており、他端５８ｂは宝石スライダー４７の後面部に設けられた係止部４７ｃと係止している。宝石駆動ギヤ５７には、係止部４７ｃとの干渉を回避しかつ係止部４７ｃの相対移動を許容する弧状スリット５７ｂが設けられている。宝石装飾部１９は、捩じりコイルばね５８の両端５８ａ，５８ｂが弾発する向きに付勢されており、常態では、図１３（Ａ）に示すように横向き姿勢で保持されており、箱本体１８ｂの後面側に隠れている。
【００６０】
宝石装飾部１９を箱本体１８ｂより出現させるには、図１３（Ａ）において装飾昇降用モータ５２を起動させる。このとき、モータギヤ５３が時計回り方向に所定量回転すると、クランクギヤ５４が反時計回り方向に従動回転する。また、クランクピン５４ａが挿入された宝石駆動アーム４８を、軸部５１を中心として反時計回り方向に回転させる。これにより、図１３（Ｂ）に示すように、宝石駆動アーム４８の一端４８ａが係合孔４７ｂで係合する宝石スライダー４７がガイドシャフト４６に沿って高さ方向に上昇する。
【００６１】
宝石スライダー４７が上昇すると、ラック部４５ｂに噛み合う宝石ピニオンギヤ５５は時計回り方向に相対回転し、宝石二段ギヤ５６は反時計回り方向に従動回転し、宝石駆動ギヤ５７を捩じりコイルばね５８の付勢に抗して時計回り方向に回転させる。
これにより、図１３（Ａ）において横向き姿勢にあった宝石装飾部１９は、図１３（Ｂ）に示すように９０度回転させて箱本体１８ｂより出現した縦向き姿勢に姿勢変更する（図１２（Ａ）参照）。このとき、捩じりコイルばね５８の端部５８ｂが係止する係止部４７ｃは、弧状スリット５７ｂが時計回り方向に回転するので、干渉することはない。
また、上記宝石装飾部１９の姿勢変更にともなって、宝石装飾部１９の後面に隠れていた装飾表示部１９ａ，１９ｂが左右両側に出現して表示される。このとき宝石装飾部１９内の光源が発光し、装飾表示部１９ａ，１９ｂにより光を拡散させ宝石装飾部１９をレンズとして後面側の表示ユニットＵを光らせて表示することができる。以上が、装飾用昇降モータ５２から宝石装飾部１９へ駆動伝達する第二駆動機構ＭＢの構成である。
【００６２】
宝石装飾部１９を箱本体１８ｂの背後に収納する場合には、図１３（Ｂ）において装飾昇降用モータ５２を逆回転駆動させる。モータギヤ５３を反時計回り方向に所定量回転すると、クランクギヤ５４が時計回り方向に従動回転する。このとき、クランクピン５４ａが挿入された宝石駆動アーム４８を、軸部５１を中心として時計回り方向に回転させる。これにより、図１３（Ａ）に示すように、宝石駆動アーム４８の一端４８ａが係合孔４７ｂで係合する宝石スライダー４７が高さ方向に下降する。
【００６３】
宝石スライダー４７が下降すると、ラック部４５ｂに噛み合う宝石ピニオンギヤ５５は反時計回り方向に相対回転し、宝石二段ギヤ５６は時計回り方向に従動回転し、宝石駆動ギヤ５７を捩じりコイルばね５８の付勢によるアシストを受けて反時計回り方向に回転させる。これにより、図１３（Ｂ）において縦向き姿勢にあった宝石装飾部１９は、図１３（Ａ）に示すように９０度回転して箱本体１８ｂの背後に隠れた横向き姿勢に戻すことができる。
【００６４】
次に、上記宝石装飾部１９の両側に装飾表示部１９ａ，１９ｂが出現する構成について図１４（Ａ），（Ｂ）を参照して説明する。
宝石スライダー４７の後面側に配置された宝石駆動ギヤ５７は、宝石スライダー４７の前面に配置された宝石裏カバー１９ｃと一体に組み付けられている。具体的には宝石裏カバー１９ｃの軸部１９ｄが宝石スライダー４７の貫通孔に挿入されて宝石駆動ギヤ５７と位置合わせをしてねじ１９ｅにより一体に組み付けられている。また、宝石裏カバー１９ｃの後面には回転中心近傍にボス部１９ｆが軸部１９ｄを中心に点対称配置で２か所に突設されている。宝石裏カバー１９ｃと宝石スライダー４７との間には、装飾用スライダー６０が軸部１９ｄを中心として点対称配置で２か所に設けられている。各装飾用スライダー６０は、装飾表示部１９ａ，１９ｂの後面に重ね合わせて、ねじ６０ｂにより２か所で一体に組み付けられている。各装飾用スライダー６０の宝石裏カバー１９ｃの回転中心側端部には長孔６０ａが設けられている。この長孔６０ａ内にボス部１９ｆが各々挿入されて装飾用スライダー６０は装飾表示部１９ａ，１９ｂの後面に重ねて組み付けられている。ボス部１９ｆが挿入される孔を長孔６０ａとしたのは、宝石裏カバー１９ｃの高さ方向の並進移動を伴う回転動作をスムーズに行うためである。
【００６５】
また、各装飾用スライダー６０の長手方向にはガイド溝６０ｃが各々穿設されている。また、宝石スライダー４７の後面側には複数（図１４では２本）のガイドピン４７ｄが軸部１９ｄを中心として点対称配置で２か所に設けられている。複数のガイドピン４７ｄは、対向配置された装飾用スライダー６０のガイド溝６０ｃに沿って横並びに挿入されている。
【００６６】
図１４（Ａ）は、宝石装飾部１９（宝石裏カバー１９ｃ）が宝箱１８の箱本体１８ｂ（図８（Ｃ）参照）の後面に隠れた状態を示す。このとき、宝石装飾部１９は長手方向が横向き姿勢にあり、装飾表示部１９ａ，１９ｂは、宝石裏カバー１９ｃの後面に重なった位置にある。また、前述したように宝石スライダー４７は、装飾べース４５の前面側で下降した位置にある（図１３（Ａ）参照）。
【００６７】
前述したように、装飾昇降用モータ５２が起動して宝石スライダー４７が装飾べース４５に対して高さ方向に上昇すると、宝石装飾部１９（宝石裏カバー１９ｃ）も上昇し、宝石駆動ギヤ５７に駆動伝達されて宝石装飾部１９（宝石裏カバー１９ｃ）が図１４（Ａ）の反時計回り方向に回転し始める。このとき、装飾用スライダー６０はガイド溝６０ｃに宝石スライダー４７のガイドピン４７ｄが挿入されたまま上昇するため、ガイドピン４７ｄより作用する垂直方向の分力は宝石スライダー４７の上昇によって相殺されるが、水平方向外向きの分力ｆが強まる。
図１４（Ｂ）に示すように、宝石装飾部１９（宝石裏カバー１９ｃ）が反時計回り方向に回転するにしたがって、ガイドピン４７ｄの水平外向きの分力ｆが強まるので、装飾表示部１９ａ，１９ｂは、ガイドピン４７ｄがガイド溝６０ｃに挿入されたまま宝石裏カバー１９ｃの後面に重なった位置より宝石装飾部１９の幅方向両側に相対移動して、縦向き姿勢に変更した宝石装飾部１９の両側に出現表示される。
【００６８】
これにより、昇降用モータ２９（第一駆動源）の駆動制御により表示ユニットＵの表示態様を切り替えるとともに、装飾昇降用モータ５２（第二駆動源）の駆動制御により、宝石装飾部１９を箱本体１８ｂから出現させて可変表示状態にある表示ユニットＵの前方に重ねて出現させて光照射して７セグ表示部Ｈ１〜Ｈ７を発光させることで、装飾性が高まり大当たりの期待感を高揚させることができる。
また、表示ユニットＵの変形動作と宝石装飾部１９の出現動作を異なる駆動源により個別に駆動制御することで、より複雑で意外性のある演出をすることができる。
【００６９】
次に、宝箱１８の箱本体１８ｂより蓋１８ａを開閉させる第二駆動機構ＭＢの構成について図１５乃至図１７を参照して説明する。第二駆動機構ＭＢは、前述したように駆動ベース３４とその前方に配置される装飾ベース４５との間に設けられる。上述した装飾昇降用モータ５２より蓋１８ａに駆動伝達して箱本体１８ｂより開閉させるようになっている。以下、その構成例について説明する。
【００７０】
図１６及び図１７において、装飾昇降用モータ５２のモータ軸５２ａに組み付けられたモータギヤ５３とクランクギヤ５４が噛み合っている。このクランクギヤ５４には、ギヤカム６１が噛み合っている。ギヤカム６１は、前面側にギヤ部６１ａが形成され、後面側にカム部６１ｂが各々形成されている。ギヤカム６１は、ギヤカム取付板６２の前面側に回転可能に支持されている。ギヤカム取付板６２は、図示しない装飾ベース４５に一体に組み付けられる。
【００７１】
図１７において、ギヤカム取付板６２の後面には、高さ方向にスライド溝６２ａが設けられている。このスライド溝６２ａには、スライド部材６３がスライド可能に組み付けられる。スライド溝６２ａには高さ方向に長孔６２ｂが穿孔されており、その下方近傍にはボス部６２ｃが突設されている。また、ギヤカム取付板６２の後面にはアーム軸６２ｄが突設されている。図１６に示すように、スライド部材６３の前面側にはカムフォロワ６３ａが突設されている。このカムフォロワ６３ａは長孔６２ｂ挿通してカム部６１ｂのカム面に当接して組み付けられる。また、スライド部材６３にはガイド孔６３ｂが穿孔されている。このガイド孔６３ｂにはボス部６２ｃが挿入されてスライド部材６３の高さ方向の移動範囲を規定している（図１７参照）。またスライド部材６３の後面には係合ピン６３ｃが突設されている。係合ピン６３ｃは、後面側に設けられる揺動アーム６４の係合孔６４ａに係合する。揺動アーム６４の一端には軸孔６４ｂが設けられており、ギヤカム取付板６２のアーム軸６２ｄを軸孔６４ｂに挿入して回動可能に組み付けられる。揺動アーム６４の他端後面には作動ピン６４ｃが突設されている。
【００７２】
揺動アーム６４の後面側よりカバー板６５がギヤカム取付板６２の後面に組み付け固定される。これにより、スライド部材６３はギヤカム取付板６２のスライド溝６２ａにスライド可能に組み付けられ、揺動アーム６４はギヤカム取付板６２のアーム軸６２ｄを中心に揺動可能に組み付けられる。
また、カバー板６５の後面側に配置される蓋開閉部材３５の前面側にはピン挿入部３５ｂが設けられている（図１６参照）。このピン挿入部３５ｂには、揺動アーム６４の作動ピン６４ｃが挿入される。蓋開閉部材３５は後面側に設けられたガイド孔３５ａ（図１７参照）をガイドシャフト３９に挿通して組み付けられる。このガイドシャフト３９は駆動ベース３４の前面側に高さ方向に起立して組み付け固定されている（図１６参照）。
【００７３】
次に上述した蓋１８ａを開閉させる第二駆動機構ＭＢの動作例について図１５を参照して説明する。先ず、図１５（Ａ），（Ｂ）は、宝箱１８が閉じた状態を示す。蓋１８ａは箱本体１８ｂに対して閉じた状態にある。蓋１８ａは第一スライダー２５に対してヒンジ軸６６を中心に開閉可能に組み付けられている。このヒンジ軸６６には捩じりコイばね１８ｃのコイルがはめ込まれており、捩じりコイルばね１８ｃの両端部を蓋１８ａと第一スライダー２５に各々係止させて蓋１８ａを箱本体１８ｂに対して閉じる向きに付勢している（図１５（Ｂ）参照）。また、蓋開閉部材３５の上端部３５ｃは対向する蓋１８ａの天面部１８ｄに当接した状態にある。
【００７４】
図１５（Ａ）において、装飾昇降用モータ５２を例えば時計回り方向に回転駆動すると、モータギヤ５３も同方向に回転する。モータギヤ５３と噛み合うクランクギヤ５４は反時計回り方向に回転し、クランクギヤ５４と噛み合うギヤカム６１（図１５（Ｂ）参照）は、時計回り方向に回転する。このとき、カム部６１ｂに当接するカムフォロワ６３ａがカム面の凸面に従ってスライド部材６３がスライド溝６２ａ内で上昇する。これにより係合ピン６３ｃに係合する揺動アーム６４がアーム軸６２ｄを中心に時計回り方向に回転する。これに伴い、図１５（Ｃ）に示すように、ピン挿入部３５ｂに作動ピン６４ｃが挿入された蓋開閉部材３５が、駆動ベース３４に固定されたガイドシャフト３９に沿って上昇する。これにより、図１５（Ｄ）に示すように、蓋開閉部材３５の上端部３５ｃが蓋１８ａの天面部１８ｄを押圧することにより、捩じりコイルばね１８ｃの付勢に抗して蓋１８ａを箱本体１８ｂより開口させることができる。
【００７５】
尚、蓋１８ａが箱本体１８ｂより開口する場合について説明したが、カム部６１ｂに当接するカムフォロワ６３ａがカム面の凹面に従ってスライド部材６３がスライド溝６２ａ内で下降すると、揺動アーム６４がアーム軸６２ｄを中心に反時計回り方向に回転する。これに伴い、ピン挿入部３５ｂに作動ピン６４ｃが挿入された蓋開閉部材３５が、駆動ベース３４に固定されたガイドシャフト３９に沿って下降するため蓋１８ａは捩じりコイルばね１８ｃのアシスト（付勢）を受けて閉じるように動作する。したがって、ギヤカム６１のカム部６１ｂのカム曲線を凸部と凹部が連続するように描くことで任意のタイミングで蓋１８ａを箱本体１８ｂより開閉させる演出を行うことができる。或いはカム部６１ｂのカム曲線を凸部と凹部が小刻みに連続するように描くことで、蓋１８ａが箱本体１８ｂより細かく開閉させることができ、装飾変化により遊技者を持続的に楽しませることができる。
【００７６】
また、装飾昇降用モータ５２を起動するので、図１３（Ａ），（Ｂ）で説明したように宝石スライダー４７が装飾ベース４５に対して上昇し始めるので、蓋１８ａが箱本体１８ｂより開口する背後で宝石装飾部１９も起立姿勢に変化して露出し始める。このため、宝石装飾部１９を発光させて装飾性を高めることもできる。これにより、始動条件の有無にかかわらず、宝箱１８（装飾部）の形態が遊技中に随時変化するので、遊技者を飽きさせずに演出効果が高まる。
【００７７】
また、上述した実施形態では、表示ユニットＵが上下方向の一方向に圧潰変形する実施例を示したが、表示ユニットＵを左右方向の一方向に圧潰変形するようにしてもよい。具体的には第一環状部ＨＡ及び第二環状部ＨＢを構成する７セグ表示部Ｈ２，Ｈ４，Ｈ６は伸縮可能な分割表示部を備え、第一環状部ＨＡ及び第二環状部ＨＢが幅方向に最大限変形した表示状態では７セグ表示部Ｈ２，Ｈ４，Ｈ６の分割表示部が直列状にシフトしており、表示ユニットＵが左右方向に圧潰変形した状態では７セグ表示部Ｈ２，Ｈ４，Ｈ６の分割表示部が前後に重なる状態にすればよい。また、表示ユニットＵに数字を表示するように示したが、数字だけではなくアルファベット表示を行うようにしてもよい。また、演出表示装置１２を遊技盤６に２個設けるようにしたが、これに限定されるものではなく、３個以上に設けられていてもよい。さらに、センター役物として液晶表示装置を設け、液晶表示装置で２つの表示部を形成し、この表示部の表示（数字）が揃ったのを機会に隠れていた表示ユニットＵが出現して、表示ユニットＵを伸縮させて表示（数字）を変化させるようにしてもよい。また、演出表示装置１２をセンター役物１１として遊技盤６に設けるようにしたが、前面枠５等の遊技盤６以外に設けて演出表示を行うようにしてもよい。また、演出表示装置１２が演出表示する条件として、遊技球の入賞にともなう始動条件を満たした場合ついて説明したが、演出表示としてはこれに限定されるものではない。例えば、遊技者の遊技開始とは関係なく、装飾表示として演出表示を行ってよいし、遊技者が遊技を開始すると、表示ユニットＵを変形表示させたり、或いは所要のタイミングで宝箱１８が開閉して宝石装飾部１９を発光表示させたりしてもよい。
【００７８】
また、装飾部の形態として宝箱１８を例示したが、これに限定されるものではない。例えば、表示ユニットＵの圧潰方向の上下（左右）位置に怪獣の手を模した装飾部を配して、恰も怪獣が表示ユニットＵを圧潰するように演出するようにしてもよい。また、可動発光装飾部の形態として宝石装飾部１９を例示したがこれに限定されるものではなく、例えばロケットや花火などの他の形態であってもよい。
また、遊技機の一例としてパチンコ機について説明したが、他に例えば雀球遊技機やアレンジボール遊技機などの遊技球を使用する弾球遊技機やコイン等を使用するスロットマシンなどに適用してもよい。
【符号の説明】
【００７９】
１  パチンコ機
１２  演出表示装置
１８  宝箱（装飾部）
１８ａ  蓋（第二装飾部）
１８ｂ  箱本体（第一装飾部）
１９  宝石装飾部（可動発光装飾部）
２９  昇降用モータ（第一駆動源）
５２  装飾昇降用モータ（第二駆動源）
Ｈ１〜Ｈ７  ７セグ表示部
Ｈ４１，Ｈ４２  分割表示部
ＨＡ  第一環状部
ＨＢ  第二環状部
Ｍ  駆動部
ＭＡ  第一駆動機構
ＭＢ  第二駆動機構
Ｕ  表示ユニット
【図１】
2018202078.tif 000003
【図２】
2018202078.tif 000004
【図３】
2018202078.tif 000005
【図４】
2018202078.tif 000006
【図５】
2018202078.tif 000007
【図６】
2018202078.tif 000008
【図７】
2018202078.tif 000009
【図８】
2018202078.tif 000010
【図９】
2018202078.tif 000011
【図１０】
2018202078.tif 000012
【図１１】
2018202078.tif 000013
【図１２】
2018202078.tif 000014
【図１３】
2018202078.tif 000015
【図１４】
2018202078.tif 000016
【図１５】
2018202078.tif 000017
【図１６】
2018202078.tif 000018
【図１７】
2018202078.tif 000019